(57)【要約】【課題】簡単な構造で、独自な豪華さを演出することが可能な羽子板を提供する。【解決手段】羽子板１は、装飾が施される羽子板本体２と、羽子板本体２を支持する柄部３とを備えている。羽子板本体２には、装飾部を有する髪飾りにおける髪に留めるための髪留めが挿入される切り欠き２１が形成されている。髪留め５１を切り欠き２１に引っ掛けることで、髪飾り５の装飾部５１を羽子板１の装飾部とすることができる。また、羽子板本体２に切り欠き２１が形成されているだけであるため、簡単な構造である。【選択図】図４
0003221399.tif 000002
【実用新案登録請求の範囲】
【請求項１】
装飾が施される羽子板本体と、前記羽子板本体を支持する柄部とを備え、
前記羽子板本体には、装飾部を有する髪飾りにおける髪に留めるための髪留めが挿入される貫通孔または切り欠きが形成された羽子板。
【請求項２】
前記切り欠きは、スリット状に形成された請求項１記載の羽子板。
【請求項３】
前記切り欠きは、前記羽子板本体の一方の側面から左右方向の中央に向かって延びる請求項２記載の羽子板。
【請求項４】
前記切り欠きは、水平方向に形成された請求項２または３記載の羽子板。
【考案の詳細な説明】
【技術分野】
【０００１】
本考案は、装飾用の羽子板に関するものである。
【背景技術】
【０００２】
羽子板は、羽根つきのための競技用と、正月に飾られる装飾用とがある。装飾用の羽子板は、様々な装飾が施されることが知られている（例えば、特許文献１，２参照。）。
【０００３】
特許文献１に記載の装飾用羽子板は、全体像に近い押絵からなる人物の本体を基板の両側部に添い、かつ基板上に設け、人物の裾あるいは裾に近接する部分など人物の下部を基板の両湾曲部に添って収束的に形成してなるものである。
また、特許文献２に記載の羽子板は、羽子板体の適所に任意の模様よりなる形状の穿孔を穿設し、これに底板を嵌装してなるものである。
【先行技術文献】
【特許文献】
【０００４】
【特許文献１】特開平８−２４３１９９号公報
【特許文献２】実公昭２４−４４４５号公報
【考案の概要】
【考案が解決しようとする課題】
【０００５】
特許文献１に記載の装飾用羽子板では、全体像に近い押絵からなる人物が基板のおもて面に設けられており、豪華さを演出しているが、数多く販売される羽子板は同じデザインで作られることになるため、独自性に欠ける。
特許文献２に記載の羽子板は、任意の模様を穿孔により表現したものであり、簡単な構造により構成されているが、装飾性が低いため、正月の飾り物としては華やかさに欠ける。
【０００６】
そこで本考案は、簡単な構造で、独自な豪華さを演出することが可能な羽子板を提供することを目的とする。
【課題を解決するための手段】
【０００７】
本考案の羽子板は、装飾が施される羽子板本体と、前記羽子板本体を支持する柄部とを備え、前記羽子板本体には、装飾部を有する髪飾りにおける髪に留めるための髪留めが挿入される貫通孔または切り欠きが形成されたことを特徴とする。
【０００８】
本考案の羽子板によれば、羽子板本体に、髪飾りの髪留めが挿入される切り欠きが形成されているため、髪留めを切り欠きに引っ掛けることで、髪飾りの装飾部を羽子板の装飾部とすることができる。また、羽子板本体に切り欠きが形成されているだけであるため、簡単な構造である。
【０００９】
前記切り欠きは、スリット状に形成されたものとすることができる。切り欠きに髪飾りの髪留めを挿入すると、髪留めと装飾部とにより羽子板本体を挟み込んだ状態となり、髪飾りをがたつかせることなく、切り欠きの奥部へ進めることができる。
【００１０】
前記切り欠きは、前記羽子板本体の一方の側面から左右方向の中央に向かって延びるものとすることができる。
【００１１】
前記切り欠きは、水平方向に形成されたものとすることができる。
【考案の効果】
【００１２】
本考案の羽子板によれば、羽子板本体に切り欠きが形成されていることで、様々な髪飾りを羽子板本体に引っ掛け、羽子板を飾り付けることができるので、簡単な構造で、独自な豪華さを演出することが可能である。
【図面の簡単な説明】
【００１３】
【図１】本考案の実施の形態に係る羽子板が台部に載置された状態の正面図である。
【図２】図１に示す羽子板の右側面図である。
【図３】図１に示す羽子板に髪飾りを取り付けた状態の正面図である。
【図４】図１に示す羽子板に髪飾りを取り付けた状態の背面図である。
【図５】本考案の他の実施の形態に係る羽子板が台部に載置された状態の正面図である。
【考案を実施するための形態】
【００１４】
本考案の実施の形態に係る羽子板を図面に基づいて説明する。
図１および図２に示す本実施の形態１に係る羽子板１は、装飾が施される羽子板本体２と、羽子板本体２を支持する柄部３とを備えている。
なお、羽子板１が飾られた状態が基本の状態であるため、本明細書では、羽子板１の幅方向は左右方向Ｆ１、羽子板本体２側を上、柄部３側を下として説明する。
【００１５】
本実施の形態１に係る羽子板１は、柄部３が台座部４に挿入されて、立て掛けられている。台座部４は、側面４１が台形状に形成され、天面４２に左右方向Ｆ１に延びる溝４３が形成されている。溝４３は、底面４３ａから開口部４３ｂに向かって斜め後方へ傾斜している。
【００１６】
羽子板１は、高さが約２１ｃｍ、天面Ｓ１（羽子板本体の天面Ｓ１）の左右方向Ｆ１の長さが約９ｃｍ、底面Ｓ２（柄部３の底面Ｓ２）の左右方向Ｆ１の長さが約３ｃｍに形成された小型の羽子板である。
羽子板本体２は台形状に形成されている。羽子板本体２には、髪飾りにおける髪に留めるための髪留めが挿入される切り欠き２１が形成されている。
本実施の形態では、切り欠き２１は、スリット状に形成されており、羽子板本体２の一方の側面Ｓ３の開口部２１ａから左右方向Ｆ１の中央Ｃ（一点鎖線にて示す）に向かって延び、中央Ｃを超える奥部２１ｂの位置まで形成されている。
切り欠き２１は、天面Ｓ１から約４ｃｍ下方の位置に水平で、幅が約７ｍｍに形成されている。
【００１７】
柄部３は、台形状の羽子板本体２から徐々に幅狭に形成された後に徐々に拡幅することで、側辺が内側に窪む円弧状に形成されている。また、柄部３の下端部は、矩形状に形成されている。
【００１８】
以上のように構成された本考案の実施の形態に係る羽子板１の使用状態を図面に基づいて説明する。
本実施の形態では、図３および図４に基づいて、髪飾り５を羽子板１の装飾部として羽子板１に飾り付けることを説明する。
髪飾り５は、例えば、七五三での女児の頭髪に装着される髪飾りとすることができる。
【００１９】
髪飾り５は、複数の花が飾り付けられた装飾部５１と、装飾部５１の裏側に設けられ、髪に留めるための髪留め５２とを備えている。
髪留め５２は、ピン部５２ａと、歯部５２ｂとを備えた櫛部である。
ピン部５２ａは、装飾部５１の裏面から突出した根本部分と、根本部分から直角に曲がり、装飾部５１の裏面と平行に延びるピン本体とを備えている。
歯部５２ｂは、ピン部５２ａに所定間隔ごとに並び、下方に向かって延びるように形成されている。
【００２０】
このような髪飾り５を羽子板１に取り付けるときには、羽子板１の切り欠き２１の開口部２１ａから、髪留め５２のピン部５２ａの根本部分を挿入して、奥部２１ｂに向かってスライドさせる。
切り欠き２１は、羽子板本体２の一方の側面Ｓ３から左右方向Ｆ１の中央Ｃ（一点鎖線にて示す）に向かって延びるように形成されているため、髪飾り５の装飾部５１を一方の側面Ｓ３から他方の側面Ｓ４側へスライドさせることができる。また、装飾部５１を、羽子板本体２のおもて面Ｓ５の中央Ｃに位置させることができる。
【００２１】
ピン部５２ａから下方に向かって延びる歯部５２ｂが形成されていても、ピン部５２ａが切り欠き２１をスライドするため、歯部５２ｂがスライドの邪魔になることなく、髪飾り５をスライドさせることができる。
【００２２】
装飾部５１が羽子板１（羽子板本体２）の左右方向Ｆ１の中央に位置するまで、髪飾り５をスライドさせると、羽子板１の柄部３を図１に示す台座部４の溝４３に挿入することで、羽子板１を台座部４に立てることができる。
【００２３】
以上のように、羽子板１によれば、羽子板本体２に、髪留め５２が挿入される切り欠き２１が形成されているため、髪留め５２を切り欠き２１に引っ掛けることで、様々な髪飾り５の装飾部５１を羽子板１の装飾部とすることができる。また、羽子板本体２に切り欠き２１が形成されているだけであるため、簡単な構造である。
従って、羽子板１は、簡単な構造で、独自の豪華さを演出することが可能である。
【００２４】
また、切り欠き２１がスリット状に形成されていることで、切り欠き２１に髪飾り５の髪留め５２を挿入すると、髪留め５２と装飾部５１とにより羽子板本体２を挟み込んだ状態となり、髪飾り５をがたつかせることなく、切り欠き２１の奥部２１ｂへ進めることができる。
切り欠き２１は、水平方向に切り欠かれているため、側面Ｓ３から水平に移動させることにより、髪飾り５を羽子板本体２にスライドさせることができる。
装飾部５１の横幅が羽子板本体２より幅広に形成されているため、装飾部５１が羽子板本体２の中央Ｃに位置させ、羽子板１をおもて面Ｓ５側から見ると、髪飾り５の装飾部５１により切り欠き２１が見えない。そのため、観察者は羽子板１に切り欠き２１が形成されていることに気が付かない。
【００２５】
なお、本実施の形態では、髪留め５２を切り欠き２１に挿入していたが、髪留め５２に歯部５２ｂが設けられていないピン部５２ａのみであれば、切り欠き２１の代わりに、貫通孔としてもよい。また、髪飾りの髪留めがヘアピンにより形成されていれば、貫通孔に差し込むだけで、髪留めを羽子板本体２に引っ掛けることができる。
また、切り欠き２１は、側面Ｓ３から水平方向に切り欠かれているが、例えば、天面Ｓ１から下方（柄部３の方向）に切り欠かれていてもよい。
【００２６】
図１に示す羽子板１は、小型の羽子板であったが、サイズの大きい羽子板でも同様の効果を得ることができる。
大型の羽子板を図５に基づいて説明する。なお、図５においては図１と同じ構成のものは同符号を付して説明を省略する。
図５に示す羽子板１０は、高さが約２９ｃｍ、天面Ｓ１（羽子板本体の天面Ｓ１）の左右方向Ｆ１の長さが約１２ｃｍ、底面Ｓ２（柄部３の底面Ｓ２）の左右方向Ｆ１の長さが約４ｃｍに形成された大型の羽子板である。
【００２７】
そして、切り欠き２１は、天面Ｓ１から下方の約７ｃｍ位置に水平で、幅が約７ｍｍに形成されている。この切り欠き２１は、スリット幅が等幅の範囲が中央Ｃの位置までに形成されている。
このように、大型の羽子板１であっても、切り欠き２１のスリット長さが調整されることで、図３に示す髪飾り５の装飾部５１を羽子板本体２の中央に位置させることができる。
【産業上の利用可能性】
【００２８】
本考案は、正月に飾られる装飾用の羽子板に好適である。
【符号の説明】
【００２９】
１，１０  羽子板
２  羽子板本体
２１  切り欠き
２１ａ  開口部
２１ｂ  奥部
３  柄部
４  台座部
４１  側面
４２  天面
４３  溝
４３ａ  底面
４３ｂ  開口部
５  髪飾り
５１  装飾部
５２  髪留め
５２ａ  ピン部
５２ｂ  歯部
Ｓ１  天面
Ｓ２  底面
Ｓ３，Ｓ４  側面
Ｓ５  おもて面
Ｃ  中央
Ｆ１  左右方向
【図１】
0003221399.tif 000003
【図２】
0003221399.tif 000004
【図３】
0003221399.tif 000005
【図４】
0003221399.tif 000006
【図５】
0003221399.tif 000007